(57)【特許請求の範囲】
【請求項１】
上部の穀粒貯留室７から下部の穀粒乾燥室８へ穀粒を繰出し流下させながら、該乾燥室８へ乾燥熱風を通風して熱風乾燥、又は該熱風乾燥を停止して外気風を通風して通風乾燥すべく設けると共に、運転操作する操作装置１４を設け、該操作装置１４の表面部には乾燥熱風温度、穀粒水分、及び残時間等を表示しうる表示部４２、張込、乾燥、及び排出の各作業を開始操作する各始動手段３１ａ，３１ｂ，３１ｃ、停止操作する停止手段３２、穀物種類を設定する乾燥設定手段３５、仕上目標水分を設定する水分設定手段３３、張込穀粒量と該通風乾燥との両項目を設定する張込量設定手段３７、及び各種作業時間を設定するタイマ増・減設定手段４０ａ，４０ｂを設けた穀粒乾燥機において、該張込量設定手段３７での設定が該通風乾燥以外が設定されると共に、通風乾燥時間が設定されていないか、又は該通風乾燥時間が０時間に設定されているときは、該熱風乾燥運転へと移行し、又該通風乾燥時間が所定時間設定されているときは、該所定時間経過後に該通風乾燥運転から該熱風乾燥運転へと連続すべく自動切換して移行する運転制御装置４４を設けたことを特徴とする穀粒乾燥機の運転操作装置。
【発明の詳細な説明】
【０００１】
【産業上の利用分野】
この発明は、穀粒乾燥機の運転操作装置に関する。
【０００２】
【従来の技術、及び発明が解決しようとする課題】
穀粒乾燥機の穀粒貯留室内へ収容された穀粒が、例えば高水分であったり、又は水分ばらつきが大きい穀粒であって、この穀粒を外気風による通風乾燥後に、乾燥熱風による熱風乾燥を行うときには、まず通風乾燥は、操作装置の張込量設定手段を操作して、通風乾燥を設定した後に、タイマ増設定手段を操作して通風乾燥時間を設定し、更に乾燥を開始する乾燥始動手段を操作することにより、該乾燥機が始動され、該貯留室内の穀粒は、この貯留室から穀粒乾燥室へ繰出し流下されて循環されながら、該乾燥室へ外気風が通過することにより、この外気風に晒されて乾燥され、残時間等を表示部へ表示しながら、設定した所定時間が経過すると、該操作装置で該乾燥機が自動停止されて、穀粒の通風乾燥が停止される。
【０００３】
通風乾燥が終了して、熱風乾燥を開始するときは、操作装置の乾燥設定手段、水分設定手段、張込量設定手段を所定位置へ操作することにより、穀物種類、仕上目標水分、張込穀粒量等が設定され、乾燥を開始する乾燥始動手段を操作することにより、乾燥機が始動され、貯留室内の通風乾燥済み穀粒は、この貯留室から乾燥室へ繰出し流下されて循環されながら、該乾燥室へ穀物種類及び張込穀粒量等の設定で設定された温度の乾燥熱風が通過することにより、この乾燥熱風に晒されて熱風乾燥され、穀粒水分及び残時間等を表示部へ表示しながら、乾燥中の穀粒水分が仕上目標水分と同じになると、該操作装置で該乾燥機が自動停止されて、穀粒の熱風乾燥が停止される。
【０００４】
上記通風乾燥及び熱風乾燥において、通風乾燥が設定されなければ、自動的に熱風乾燥が開始され、又通風乾燥が設定されると、通風乾燥が終了すると、自動的に熱風乾燥へと切換移行する構成にしようとするものである。
【０００５】
【課題を解決するための手段】
この発明は、上部の穀粒貯留室７から下部の穀粒乾燥室８へ穀粒を繰出し流下させながら、該乾燥室８へ乾燥熱風を通風して熱風乾燥、又は該熱風乾燥を停止して外気風を通風して通風乾燥すべく設けると共に、運転操作する操作装置１４を設け、該操作装置１４の表面部には乾燥熱風温度、穀粒水分、及び残時間等を表示しうる表示部４２、張込、乾燥、及び排出の各作業を開始操作する各始動手段３１ａ，３１ｂ，３１ｃ、停止操作する停止手段３２、穀物種類を設定する乾燥設定手段３５、仕上目標水分を設定する水分設定手段３３、張込穀粒量と該通風乾燥との両項目を設定する張込量設定手段３７、及び各種作業時間を設定するタイマ増・減設定手段４０ａ，４０ｂを設けた穀粒乾燥機において、該張込量設定手段３７での設定が該通風乾燥以外が設定されると共に、通風乾燥時間が設定されていないか、又は該通風乾燥時間が０時間に設定されているときは、該熱風乾燥運転へと移行し、又該通風乾燥時間が所定時間設定されているときは、該所定時間経過後に該通風乾燥運転から該熱風乾燥運転へと連続すべく自動切換して移行する運転制御装置４４を設けたことを特徴とする穀粒乾燥機の運転操作装置の構成とする。
【０００６】
【発明の作用、及び効果】
穀粒乾燥機の穀粒貯留室７内へ収容された穀粒が、例えば高水分であったり、水分ばらつきが大きい穀粒であって、この穀粒を外気風による通風乾燥運転後に、乾燥熱風による熱風乾燥運転が行われるときは、まず通風乾燥運転は、操作装置１４の乾燥設定手段３５、水分設定手段３３、張込量設定手段３７を操作することにより、穀物種類、仕上目標水分及び張込穀粒量、又は通風乾燥が設定される。タイマ増設定手段４０ａを操作すると、時間が設定されるが、該張込量設定手段３７の操作が張込量設定か否かが判定され、通風乾燥設定以外の張込量設定と判定され、該タイマ増設定手段４０ａの操作で通風乾燥時間の設定が有りか否かが判定され、有りと判定され、又設定時間が０時間か否かが判定され、０時間以外と判定されて、乾燥作業を開始する乾燥始動手段３１ｂを操作することにより、該乾燥機が始動されて、通風乾燥が開始され、該貯留室７内の穀粒は、この貯留室７から穀粒乾燥室８へ繰出し流下されて循環されながら、該乾燥室８へ外気風が通過することにより、この外気風に晒されて通風乾燥され、残時間等が表示部４２へ表示されながら、設定した所定時間が経過すると、該操作装置１４の運転制御装置４４で該乾燥機が自動停止されて、穀粒の通風乾燥が停止される。
【０００７】
通風乾燥が終了して、熱風乾燥運転開始は、運転制御装置４４で自動制御されて、乾燥機が始動され、通風乾燥済み穀粒は、貯留室７から乾燥室８内を流下循環中に、穀物種類及び張込穀粒量等によって設定された温度の乾燥熱風が発生し、この乾燥熱風が該乾燥室８を通過することにより、この乾燥熱風に晒されて熱風乾燥され、乾燥中の穀粒水分が仕上目標水分と同じになると、該操作装置１４の該運転制御装置４４で該乾燥機が自動停止されて、穀粒の熱風乾燥が停止される。
【０００８】
熱風乾燥運転のみが直接行われるときは、張込量設定手段３７の操作が通風乾燥設定以外の張込量設定と判定され、タイマ増設定手段４１ａの操作が無しと判定され、設定時間が０時間と判定されて、乾燥作業を開始する乾燥始動手段３１ｂを操作することにより、乾燥機が始動されて、熱風乾燥が開始され、穀粒は熱風乾燥される。
【０００９】
又通風乾燥運転のみが行われるときは、張込量設定手段３７の操作が通風乾燥と判定され、タイマ増設定手段４１ａの操作が有りと判定され、設定時間が０以外と判定されて、乾燥作業を開始する乾燥始動手段３１ｂを操作することにより、乾燥機が始動されて、通風乾燥が開始され、穀粒は設定された所定時間通風乾燥される。
【００１０】
上記によって、張込量設定手段３７とタイマ増設定手段４１との操作に基づいて、通風乾燥から熱風乾燥へと自動切換移行制御されたり、又熱風乾燥へ直接制御されることにより、特別な操作手段を設けることなく、又特殊な操作を行わずに、自動移行モードを追加することができた。
【００１１】
【実施例】
以下、本発明の一実施例を図面に基づいて説明する。
図例は、穀粒を乾燥する循環型の穀粒乾燥機１に穀粒の水分を検出する水分センサ２及び熱風が発生するバーナ３等を装着した状態を示すものである。
前記乾燥機１は、前後方向に長い長方形状で機壁４上部には、移送螺旋を回転自在に内装した移送樋５及び天井板６を設け、この天井板６下側には穀粒を貯留する穀粒貯留室７を形成している。
【００１２】
穀粒乾燥室８，８は、貯留室７下側において、左右両側の排風室９，９と中央の送風室１０との間に設け、これら乾燥室８，８下部には、穀粒を繰出し流下させる繰出バルブ１１を夫々回転自在に軸支している。
集穀樋１２は、移送螺旋を回転自在に軸支し、各乾燥室８，８下側に設けて連通させている。
【００１３】
前記バーナ３は、バーナケース１３に内装して設け、このバーナケース１３は、前側機壁４正面側において、送風室１０入口側に対応すべくこの前側機壁４外側面に着脱自在に設け、又乾燥機１、水分センサ２及び該バーナ３を張込、乾燥及び排出の各作業別に始動及び停止操作する操作装置１４は、該前側機壁４外側面に着脱自在に設けている。
【００１４】
排風機１５は、後側機壁４で、左右の排風室９，９に連通すべく設けた排風路室１６中央後部側排風胴１７に設け、又この後側機壁４には、この排風機１５を回転駆動する排風機モータ１８を設けている。
バルブモータ１９は、繰出バルブ１１，１１を減速機構を介して回転駆動させている。
【００１５】
燃料ポンプ２０は、燃料バルブを有して、バーナケース１３下板外側に設け、この燃料バルブの開閉により、この燃料ポンプ２０で燃料タンク２１内の燃料を吸入して、バーナ３へ供給させている。送風機２２は、上板外側に設け、変速用の送風機モータ２３で変速回転駆動させ、供給燃料量に見合った燃焼用空気を該バーナ３へこの送風機２２で送風させている。該バーナ３より発生する熱風と、該バーナケース１３内の該バーナ３周囲を通過する外気風とが混合され、乾燥熱風となり、この乾燥熱風は、送風室１０から各乾燥室８，８を通風する構成としている。
【００１６】
拡散盤２４は、移送樋５底板の前後方向中央部で、移送穀粒を貯留室７へ供給する供給口の下側に設け、該貯留室７へ穀粒を均等に拡散還元させている。
昇穀機２５は、前側機壁４外側部に設けられ、内部にはバケットコンベア２６付ベルトを張設してなり、上端部は、移送樋５始端部との間において投出筒２７を設けて連通させて、下端部は、集穀樋１２終端部との間において供給樋２８を設けて連通させている。
【００１７】
昇穀機モータ２９は、バケットコンベア２６付ベルト、移送樋５内の移送螺旋、拡散盤２４及び集穀樋１２内の移送螺旋等を回転駆動させている。
前記水分センサ２は、昇穀機２５の上下方向ほぼ中央部に設け、この水分センサ２は、操作装置１４からの電気的測定信号の発信により、水分モータ３０が回転して、この水分センサ２の各部が回転駆動され、バケットコンベア２６で上部へ搬送中に落下する穀粒を受け、この穀粒を挟圧粉砕しながら、この粉砕穀粒の水分を検出させている。
【００１８】
前記操作装置１４は、箱形状でこの箱体の表面板には、乾燥機１、水分センサ２及びバーナ３等を張込、乾燥及び排出の各作業別に始動操作する各張込・乾燥・排出始動手段３１ａ，３１ｂ，３１ｃ、停止操作する停止手段３２、穀粒の仕上目標水分を設定する水分設定手段３３、水分別の各表示ランプ３４、バーナ３から発生する熱風温度を設定する一条件の穀物種類を設定する乾燥設定手段３５、穀物種類別の各表示ランプ３６、熱風温度を設定する一条件の張込穀粒量及び通風乾燥を設定する張込量設定手段３７、石数別及び通風乾燥の各表示ランプ３８ａ，３８ｂ、穀粒水分値を補正する水分補正手段３９、タイマの設定時間を増、又は減させるタイマ増・減設定手段４０ａ，４０ｂ、ブザー停止手段４１、各種表示項目をデジタル表示する表示部４２及びモニタ表示ランプ４３等を設けている。
【００１９】
運転制御装置４４は、操作装置１４内に設けられ、この操作装置１４は、運転操作装置４５及び表示操作装置４５′等を兼用とした構成である。この運転制御装置４４は、籾流れセンサの検出、デジタルセンサ情報の入力及び各設定手段３１ａ，３１ｂ，３１ｃ，３２，３３，３５，３７，３９，４０ａ，４０ｂ，４１の操作が入力されるデジタル入力回路（Ａ）４６、水分センサ２、熱風温センサ４７が検出する検出値及びアナログセンサ情報が入力されるアナログ入力回路４８、Ａ−Ｄ変換回路４９、シリアルデータ受信回路５０、メモリクリア５１が入力されるデジタル入力回路（Ｂ）５２、これら各回路４６，４８，４９，５０，５２からの入力を算術論理演算及び比較演算等を行う乾燥機制御用マイコン５３及びメモリ５４、この乾燥機制御用マイコン５３からの指令で出力回路（Ａ）５５を経て排風機モータ１８、バルブモータ１９及び昇穀機モータ２９を始動及び停止制御し、出力回路（Ｂ）５６を経て燃料バルブ、燃料ポンプ２０及び送風機モータ２３を始動、停止及び調節制御し、出力回路（Ｃ）５７を経て水分モータ３０を始動及び停止制御し、表示回路５８を経て表示部４２へ各種項目を表示し、出力回路（Ｄ）５９を経てブザー６０を作動制御し、シリアルデータ送信回路６１及び不揮発メモリ６２等よりなる構成としている。
【００２０】
以下、上記実施例の作用について説明する。
穀粒乾燥機１の穀粒貯留室７内へ収容された穀粒が、例えば高水分であったり、水分ばらつきが大きい穀粒であって、この穀粒を外気風による通風乾燥後に乾燥熱風による熱風乾燥を行うときは、図１の如くまず通風乾燥運転をスタートするときは（ステップ１０１）、操作装置１４の乾燥設定手段３５、水分設定手段３３、張込量設定手段３７及びタイマ増設定手段４０ａ等が所定位置へ操作されて、穀粒種類、仕上目標水分、張込穀粒量又は通風乾燥、及びタイマ時間等が設定され（ステップ１０２）、乾燥を開始する乾燥始動手段３１ｂが操作され（ステップ１０３）、該乾燥機１が始動されて、穀粒は貯留室７から穀粒乾燥室８，８内を流下されて、集穀樋１２、供給樋２８、昇穀機２５、移送樋５から拡散盤２４上へ供給され、この拡散盤２４で該貯留室７内へ拡散循環され、この循環中に、バーナケース１３内から送風室１０、該乾燥室８，８内を通過する外気風に晒されて通風乾燥され、通風乾燥中であるか否か検出され（ステップ１０４）、ＮＯと検出されると、ステップ１０４へ戻る。ＹＥＳと検出されると、該張込量設定手段３７の操作が張込量であるか、通風乾燥であるか判定され（ステップ１０５）、通風乾燥以外か検出され（ステップ１０６）、ＮＯと検出されるとステップ１０４へ戻る。ＹＥＳと検出されると、該タイマ増設定手段４０ａが操作されて、通風時間が設定されたか判定され（ステップ１０７）、通風時間有りか否か検出され（ステップ１０８）、ＹＥＳと検出されると、通風時間の設定が０時間か検出され（ステップ１０９）、ＮＯと検出されると、通風乾燥運転が継続され（ステップ１１０）、設定した通風時間が経過して０時間になったか検出され（ステップ１１１）、ＮＯと検出されると、ステップ１１０へ戻る。ＹＥＳと検出すると熱風乾燥運転へ自動移行されて、バーナ３から発生する熱風と、該バーナケース１３内を通過する外気風とが混合して乾燥熱風となり、この乾燥熱風が該バーナケース１３内から該送風室１０、該乾燥室８，８内を通過することにより、この乾燥熱風に晒されて熱風乾燥される（ステップ１１２）。
【００２１】
ステップ１０８でＯＮと検出され、又ステップ１０９でＹＥＳと検出されると、ステップ１１２へ進み熱風乾燥運転へ自動移行されて熱風乾燥される。
図７は、他の実施例を示す図であり、図７の如く張込量設定手段３７を有するもので、電源投入時は、最小張込量に自動復帰させる構成として、この張込量設定手段３７の操作で設定されるバーナ３から発生する熱風温度の設定温度は、最低温度に設定される構成としている。
【００２２】
上記の構成の作用は、乾燥がスタートされ（ステップ２０１）、操作装置１４へ電源が投入されると、最低張込量位置の表示ランプ３８ａが点灯されて、最低張込量が設定され（ステップ２０２）、張込量設定手段３７が操作されて、張込穀粒量の変更があったか否か検出され（ステップ２０３）、ＹＥＳと検出されると、設定張込量に対する位置の表示ランプ３８ａが点灯されて、設定張込量が設定され（ステップ２０４）、この設定張込穀粒量に対する熱風温度が算出され、この算出された熱風温度の熱風が、バーナ３から発生し、この熱風と外気風とが混合されて乾燥熱風となり、この乾燥熱風で穀粒は、熱風乾燥される（ステップ２０５）。
【００２３】
ステップ２０３でＮＯと検出されると、ステップ２０５へ進み、上記と同じに設定張込穀粒量に対する熱風温度が算出される。
【図面の簡単な説明】
図は、この発明の一実施例を示すものである。
【図１】フローチャート
【図２】ブロック図
【図３】穀粒乾燥機の一部破断せる全体側面図
【図４】図３のＡ−Ａ拡大断面図
【図５】操作装置の一部破断せる拡大正面図
【図６】操作装置の一部の拡大作用図
【図７】他の実施例を示す図で、フローチャート
【符号の説明】
７        穀粒貯留室
８        穀粒乾燥室
１４        操作装置
３１ａ    張込始動手段
３１ｂ    乾燥始動手段
３１ｃ    排出始動手段
３２        停止手段
３３        水分設定手段
３５        乾燥設定手段
３７        張込量設定手段
４０ａ    タイマ増設定手段
４０ｂ    タイマ減設定手段
４２        表示部
４４        運転制御装置
【図１】
0003577726.tif 000002
【図２】
0003577726.tif 000003
【図３】
0003577726.tif 000004
【図４】
0003577726.tif 000005
【図５】
0003577726.tif 000006
【図６】
0003577726.tif 000007
【図７】
0003577726.tif 000008